(57)【要約】【課題】光軸にレンズの中央部がくるようにすることができるレンズ位置調整機構、光ピックアップ装置、光ディスク装置、及びレンズ位置調整方法を提供する。【解決手段】コリメートレンズ１４を光軸に沿ってコリメートレンズ位置調整ユニット２０のハウジング基準面１０ｂ側に移動させた後、コリメートレンズ１４の中央位置が光軸と一致するようにコリメートレンズ位置調整ユニット２０をハウジング基準面１０ｂに沿って平行に摺動する。次に、コリメートレンズ１４を光軸に沿ってコリメートレンズ位置調整ユニット２０のハウジング基準面１０ｂ側とは反対側に移動させた後、コリメートレンズ１４の中央位置が光軸と一致するように、コリメートレンズ位置調整ユニット２０を、ハウジング基準面１０ｂとの間の突起２３ａを回転中心として回転させる。その後、コリメートレンズ位置調整ユニット２０をハウジング１０に取り付け固定する。【選択図】図１
2010134995.tif 000002
【特許請求の範囲】
【請求項１】
駆動装置を用いてレンズを光軸に沿って移動させて球面収差を補正する球面収差補正手段を備えた光ピックアップ装置のレンズ位置調整機構において、
上記レンズを含む光学部品を搭載する装置筐体となるハウジングを有すると共に、
上記球面収差補正手段は、上記ハウジングに取り付け固定されるレンズ位置調整ユニットに搭載されてなり、
上記レンズ位置調整ユニットとハウジングとの間には、該レンズ位置調整ユニットをハウジングに位置決めして取り付け固定するときに該レンズ位置調整ユニットをハウジングのハウジング基準面に沿って平行に摺動させかつ回転中心となって該レンズ位置調整ユニットを回転自在に当接させる介在部材が設けられていることを特徴とする光ピックアップ装置のレンズ位置調整機構。
【請求項２】
前記介在部材は、前記レンズ位置調整ユニットに形成された断面弓形の突起からなっていることを特徴とする請求項１記載の光ピックアップ装置のレンズ位置調整機構。
【請求項３】
前記介在部材は、前記レンズ位置調整ユニットに形成された球面状の突起からなっていることを特徴とする請求項１記載の光ピックアップ装置のレンズ位置調整機構。
【請求項４】
前記介在部材は、前記ハウジング基準面に形成された断面弓形の突起からなっていることを特徴とする請求項１記載の光ピックアップ装置のレンズ位置調整機構。
【請求項５】
前記介在部材は、前記ハウジング基準面に形成された球面状の突起からなっていることを特徴とする請求項１記載の光ピックアップ装置のレンズ位置調整機構。
【請求項６】
前記介在部材は、前記レンズ位置調整ユニットの摺動方向とは直交する、前記ハウジングの厚み方向に平行移動した位置に形成されていることを特徴とする請求項１，２又は３記載の光ピックアップ装置のレンズ位置調整機構。
【請求項７】
前記レンズの中央部には、視認用の調整目印が設けられていることを特徴とする請求項１〜６のいずれか１項に記載の光ピックアップ装置のレンズ位置調整機構。
【請求項８】
前記レンズはコリメートレンズであると共に、
前記視認用の調整目印は、レンズ表面に形成された凹部又は凸部からなっていることを特徴とする請求項７記載の光ピックアップ装置のレンズ位置調整機構。
【請求項９】
前記コリメートレンズを通過する光軸の延長線と交わる位置に立ち上げるハウジングの側壁に、該光軸を中心とする貫通穴が設けられていることを特徴とする請求項８記載の光ピックアップ装置のレンズ位置調整機構。
【請求項１０】
請求項１〜９のいずれか１項に記載の光ピックアップ装置のレンズ位置調整機構を備えていることを特徴とする光ピックアップ装置。
【請求項１１】
請求項１０記載の光ピックアップ装置を備えたことを特徴とする光ディスク装置であって、
半導体レーザーからレーザー光を出射し、上記レーザー光を用いて光ディスクに情報を記録し、又は光ディスクに記録された情報を再生することを特徴とする光ディスク装置。
【請求項１２】
駆動装置を用いてコリメートレンズを光軸に沿って移動させて球面収差を補正する球面収差補正手段を備えた光ピックアップ装置のレンズ位置調整方法において、
上記コリメートレンズを含む光学部品を搭載する装置筐体となるハウジングに、上記球面収差補正手段を取り付け固定したレンズ位置調整ユニットを位置決めして取り付け固定するときに、
上記コリメートレンズを上記球面収差補正手段の駆動装置にて光軸に沿って上記レンズ位置調整ユニットのハウジング基準面側に移動させた後、コリメートレンズを通過する光軸の延長線と交わる位置に立ち上げるハウジングの側壁に設けられた光軸を中心とする貫通穴を通して確認しながら上記コリメートレンズの中央位置に設けられた視認用の調整目印が光軸と一致するように上記レンズ位置調整ユニットをハウジング基準面に沿って平行に摺動する第１工程と、
上記第１工程の終了後に、上記コリメートレンズを上記球面収差補正手段の駆動装置にて光軸に沿って上記レンズ位置調整ユニットのハウジング基準面側とは反対側に移動させた後、上記貫通穴を通して確認しながら上記コリメートレンズの中央位置に設けられた視認用の調整目印が上記光軸と一致するように、レンズ位置調整ユニットを、該レンズ位置調整ユニットとハウジングのハウジング基準面との間に介在する介在部材を回転中心として回転させる第２工程と、
上記第２工程の終了後に、上記レンズ位置調整ユニットをハウジングに取り付け固定する第３工程とを含むことを特徴とする光ピックアップ装置のレンズ位置調整方法。
【発明の詳細な説明】
【技術分野】
【０００１】
本発明は、光ディスクを記録又は再生する光ディスク装置に備えられた光ピックアップ装置のレンズ位置調整機構、光ピックアップ装置、光ディスク装置、及び光ピックアップ装置のレンズ位置調整方法に関するものであり、詳細には、光ピックアップ装置におけるコリメートレンズのレンズ位置調整に関する。
【背景技術】
【０００２】
近年、波長４０５ｎｍの半導体レーザーと開口数（ＮＡ：Numerical Aperture）０．８５の対物レンズとを使用した高密度光ディスク装置の開発が進んでいる。光ディスクの基板厚が所定量と異なる場合に発生する球面収差は開口数（ＮＡ）の４乗に比例する。このため開口数（ＮＡ）の大きい対物レンズを使用する高密度光ディスク装置においては、光ディスクの基板厚誤差に対応するために、球面収差の補正を行うことが必須となる。
【０００３】
そこで、従来技術として特許文献１及び特許文献２に開示される光ピックアップ装置では、図９に示すように、半導体レーザー等の光源１０１と対物レンズ１０２との光路中にコリメートレンズ１０３を備えている。このコリメートレンズ１０３は、レーザー光の光軸方向に移動させるコリメートレンズ位置調整ユニット１０４に取り付けられており、コリメートレンズ位置調整ユニット１０４は、ハウジング１０５の所定の箇所に搭載され、接着剤にて固定されている。
【０００４】
ここで、コリメートレンズ位置調整ユニット１０４をハウジング１０５へ取り付けるときには、ハウジング１０５の基準面１０５ａにコリメートレンズ位置調整ユニット１０４の基準面１０４ａを押し当てることにより、コリメートレンズ位置調整ユニット１０４を位置決めする。したがって、ハウジング１０５の金型仕上がり精度、コリメートレンズ位置調整ユニット１０４の金型精度及び組立精度の複合条件によって、コリメートレンズ１０３の位置が決まるようになっている。
【特許文献１】特開２００６−２５２６１６号公報（２００６年９月２１日公開）
【特許文献２】特開２００６−２５２６２８号公報（２００６年９月２１日公開）
【発明の開示】
【発明が解決しようとする課題】
【０００５】
しかしながら、上記従来の光ピックアップ装置では、球面収差補正装置の構造として、コリメートレンズを基板厚に応じて移動させるが、コリメートレンズを移動させたとき、球面収差補正装置の組立誤差や、球面収差補正装置をピックアップに組み込む際の組立誤差により、コリメートレンズの可動範囲の中で、光軸に対してコリメートレンズの中心がずれるという問題を有している。
【０００６】
すなわち、コリメートレンズ位置調整ユニットを有する光ピックアップ装置では、コリメートレンズを装着したコリメートレンズ位置調整装置をハウジングの取付部に取り付ける。この場合、コリメートレンズ位置調整ユニットにコリメートレンズを接着するときの精度ばらつき及びコリメートレンズ位置調整ユニットの各精度や組付けばらつきによって、光軸にコリメートレンズの中央部がくるようにすることが困難である。
【０００７】
例えば、特許文献１に開示された光ピックアップ装置においては、規格の異なる光ディスクに対応するために、対物レンズ１０２に対して開口径の異なる遮蔽板を切り替え挿入したり、又は凹レンズを追加挿入したりしているが、光軸にコリメートレンズ１０３の中央部がくるようにする技術は開示されていない。
【０００８】
また、特許文献２に開示された光ピックアップ装置においては、コリメートレンズ１０３を光軸と平行な方向に移動させることによって、規格の異なる光ディスクに対応するようにしているが、この光ピックアップ装置においても、光軸にコリメートレンズの中央部がくるようにする技術は開示されていない。
【０００９】
本発明は、上記従来の問題点に鑑みなされたものであって、その目的は、光軸にレンズの中央部がくるようにすることができ、延いては球面収差補正手段を光ピックアップ装置に組み込むときの組立精度を向上させることが可能であり、球面収差補正の精度を上げることにより高性能な記録再生特性を確保し得る光ピックアップ装置のレンズ位置調整機構、光ピックアップ装置、光ディスク装置、及び光ピックアップ装置のレンズ位置調整方法を提供することにある。
【課題を解決するための手段】
【００１０】
本発明の光ピックアップ装置のレンズ位置調整機構は、上記課題を解決するために、駆動装置を用いてレンズを光軸に沿って移動させて球面収差を補正する球面収差補正手段を備えた光ピックアップ装置のレンズ位置調整機構において、上記レンズを含む光学部品を搭載する装置筐体となるハウジングを有すると共に、上記球面収差補正手段は、上記ハウジングに取り付け固定されるレンズ位置調整ユニットに搭載されてなり、上記レンズ位置調整ユニットとハウジングとの間には、該レンズ位置調整ユニットをハウジングに位置決めして取り付け固定するときに該レンズ位置調整ユニットをハウジングのハウジング基準面に沿って平行に摺動させかつ回転中心となって該レンズ位置調整ユニットを回転自在に当接させる介在部材が設けられていることを特徴としている。
【００１１】
上記の発明によれば、レンズを含む光学部品を搭載する装置筐体となるハウジングに、上記球面収差補正手段を取り付け固定したレンズ位置調整ユニットを位置決めして取り付け固定するときには、以下のようにすることができる。
【００１２】
まず、上記レンズを上記球面収差補正手段の駆動装置にて光軸に沿って上記レンズ位置調整ユニットのハウジング基準面側に移動させた後、レンズの中央位置が光軸と一致するように上記レンズ位置調整ユニットをハウジング基準面に沿って平行に摺動することができる。
【００１３】
次に、上記レンズを上記球面収差補正手段の駆動装置にて光軸に沿って上記レンズ位置調整ユニットのハウジング基準面側とは反対側に移動させた後、レンズの中央位置が上記光軸と一致するように、レンズ位置調整ユニットを、該レンズ位置調整ユニットとハウジングのハウジング基準面との間に介在する介在部材を回転中心として回転させることができる。
【００１４】
これにより、球面収差補正手段のレンズの中央が光軸に一致するようになる。この状態で、レンズ位置調整ユニットをハウジングに取り付け固定すれば、レンズの中央は光軸に一致したものとなる。
【００１５】
したがって、光軸にレンズの中央部がくるようにすることができ、延いては球面収差補正手段を光ピックアップ装置に組み込むときの組立精度を向上させることが可能であり、球面収差補正の精度を上げることにより高性能な記録再生特性を確保し得る光ピックアップ装置のレンズ位置調整機構を提供することができる。
【００１６】
本発明の光ピックアップ装置のレンズ位置調整機構では、前記介在部材は、前記レンズ位置調整ユニットに形成された断面弓形の突起からなっているとすることができる。尚、断面弓形の突起とは、換言すれば、円柱を縦方向に分断した状態の突起をいう。
【００１７】
これにより、介在部材をレンズ位置調整ユニットに形成すると共に、その形状を断面弓形の突起とすることによって、レンズ位置調整ユニットをハウジング基準面に沿って平行に容易に摺動することができ。かつ断面弓形の突起とハウジング基準面との接触点を回転中心として、レンズ位置調整ユニットを断面弓形の突起に沿って容易に回転することができる。
【００１８】
本発明の光ピックアップ装置のレンズ位置調整機構では、前記介在部材は、前記レンズ位置調整ユニットに形成された球面状の突起からなっているとすることができる。尚、球面状の突起とは、換言すれば、球を切り出した状態の突起をいう。
【００１９】
これにより、介在部材をレンズ位置調整ユニットに形成すると共に、その形状を球面状の突起とすることによって、レンズ位置調整ユニットをハウジング基準面に沿って平行に容易に摺動することができ、かつ球面状の突起とハウジング基準面との接触点を回転中心として、レンズ位置調整ユニットを球面状の突起に沿って容易に回転することができる。
【００２０】
そして、この場合には、突起は球面状であるので、回転方向として、例えばＸ軸に垂直な面内での回転だけではなく、例えばＹ軸に垂直な面内での回転を行うこともできる。
【００２１】
このため、球面収差補正手段を光ピックアップ装置に組み込むときの組立精度が光軸に対して１８０度ずれていてもそのずれを修正することが可能となる。
【００２２】
本発明の光ピックアップ装置のレンズ位置調整機構では、前記介在部材は、前記ハウジング基準面に形成された断面弓形の突起からなっているとすることができる。尚、断面弓形の突起とは、換言すれば、円柱を縦方向に分断した状態の突起をいう。
【００２３】
これにより、介在部材をハウジング基準面に形成すると共に、その形状を断面弓形の突起とすることによって、レンズ位置調整ユニットをハウジング基準面に沿って平行に容易に摺動することができ、かつ断面弓形の突起とハウジング基準面との接触点を回転中心として、レンズ位置調整ユニットを断面弓形の突起に沿って容易に回転することができる。
【００２４】
本発明の光ピックアップ装置のレンズ位置調整機構では、前記介在部材は、前記ハウジング基準面に形成された球面状の突起からなっているとすることができる。尚、球面状の突起とは、換言すれば、球を切り出した状態の突起をいう。
【００２５】
これにより、介在部材をハウジング基準面に形成すると共に、その形状を球面状の突起とすることによって、レンズ位置調整ユニットをハウジング基準面に沿って平行に容易に摺動することができ。かつ球面状の突起とハウジング基準面との接触点を回転中心として、レンズ位置調整ユニットを球面状の突起に沿って容易に回転することができる。そして、この場合には、突起は球面状であるので、回転方向として、例えばＸ軸に垂直な面内での回転だけではなく、例えばＹ軸に垂直な面内での回転を行うこともできる。
【００２６】
このため、球面収差補正手段を光ピックアップ装置に組み込むときの組立精度が光軸に対して１８０度ずれていてもそのずれを修正することが可能となる。
【００２７】
本発明の光ピックアップ装置のレンズ位置調整機構では、前記介在部材は、前記レンズ位置調整ユニットの摺動方向とは直交する、前記ハウジングの厚み方向に平行移動した位置に形成されていることが好ましい。
【００２８】
これにより、介在部材は、レンズ位置調整ユニットの摺動方向への投影においては光軸と一致し、上記レンズ位置調整ユニットの摺動方向とは直交する、ハウジングの厚み方向においては光軸からいくらかずれていることになる。
【００２９】
すなわち、介在部材が光軸と一致する場所に存在すると光を遮蔽することになるが、本発明では、ハウジングの厚み方向に平行移動した位置に介在部材を設けることによって、光の遮蔽を回避することができる。
【００３０】
また、介在部材が設けられている位置は、光軸から離れすぎると調整のストロークが増加するため、離間した近くの位置が望ましい。この点、本発明では、介在部材は、レンズ位置調整ユニットの摺動方向とは直交する、前記ハウジングの厚み方向に平行移動した位置に形成されている。そして、一般に、ハウジングの厚み方向は、ハウジング基準面の長さ方向に比べて短い。したがって、上記の要件を満たすことができる。
【００３１】
本発明の光ピックアップ装置のレンズ位置調整機構では、前記レンズの中央部には、視認用の調整目印が設けられていることが好ましい。
【００３２】
これにより、レンズの中央部には、視認用の調整目印が設けられているので、レンズの中央位置を視認用の調整目印により判断することができる。したがって、レンズ位置の調整を行うときには、レンズの中央部に設けられた視認用の調整目印が光軸に一致するように、レンズ位置調整ユニットをハウジング基準面に摺動し、介在部材を中心にして回転させることができる。
【００３３】
したがって、視認用の調整目印により、容易に、光軸にレンズの中央部がくるようにすることができる。
【００３４】
本発明の光ピックアップ装置のレンズ位置調整機構では、前記レンズはコリメートレンズであると共に、前記視認用の調整目印は、レンズ表面に形成された凹部又は凸部からなっていることが好ましい。
【００３５】
これにより、コリメートレンズは、光源から出射された発散光束を平行光束にして対物レンズに入射させる機能を有しているので、例えば、光ディスクの板厚に基づく球面収差を補正するレンズと言える。
【００３６】
また、コリメートレンズのレンズ表面の中央位置に凹部又は凸部を形成することによって、レンズ表面の中央位置で光を遮蔽することなく該凹部又は凸部を視認用の調整目印として機能させることができる。
【００３７】
本発明の光ピックアップ装置のレンズ位置調整機構では、前記コリメートレンズを通過する光軸の延長線と交わる位置に立ち上げるハウジングの側壁に、該光軸を中心とする貫通穴が設けられていることが好ましい。
【００３８】
これにより、ハウジングの外部からこの貫通穴を通して、コリメートレンズの中央位置が光軸と一致しているかの確認を容易に行うことができる。
【００３９】
本発明の光ピックアップ装置は、上記課題を解決するために、上記記載の光ピックアップ装置のレンズ位置調整機構を備えていることを特徴としている。
【００４０】
上記の発明によれば、光軸にレンズの中央部がくるようにすることができ、延いては球面収差補正手段を光ピックアップ装置に組み込むときの組立精度を向上させることが可能であり、球面収差補正の精度を上げることにより高性能な記録再生特性を確保し得る光ピックアップ装置を提供することができる。
【００４１】
本発明の光ディスク装置は、上記課題を解決するために、上記記載の光ピックアップ装置を備えた光ディスク装置であって、半導体レーザーからレーザー光を出射し、上記レーザー光を用いて光ディスクに情報を記録し、又は光ディスクに記録された情報を再生することを特徴としている。
【００４２】
上記の発明によれば、光軸にレンズの中央部がくるようにすることができ、延いては球面収差補正手段を光ピックアップ装置に組み込むときの組立精度を向上させることが可能であり、球面収差補正の精度を上げることにより高性能な記録再生特性を確保し得る光ディスク装置を提供することができる。
【００４３】
本発明の光ピックアップ装置のレンズ位置調整方法は、駆動装置を用いてコリメートレンズを光軸に沿って移動させて球面収差を補正する球面収差補正手段を備えた光ピックアップ装置のレンズ位置調整方法において、上記コリメートレンズを含む光学部品を搭載する装置筐体となるハウジングに、上記球面収差補正手段を取り付け固定したレンズ位置調整ユニットを位置決めして取り付け固定するときに、上記コリメートレンズを上記球面収差補正手段の駆動装置にて光軸に沿って上記レンズ位置調整ユニットのハウジング基準面側に移動させた後、コリメートレンズを通過する光軸の延長線と交わる位置に立ち上げるハウジングの側壁に設けられた光軸を中心とする貫通穴を通して確認しながら上記コリメートレンズの中央位置に設けられた視認用の調整目印が光軸と一致するように上記レンズ位置調整ユニットをハウジング基準面に沿って平行に摺動する第１工程と、上記第１工程の終了後に、上記コリメートレンズを上記球面収差補正手段の駆動装置にて光軸に沿って上記レンズ位置調整ユニットのハウジング基準面側とは反対側に移動させた後、上記貫通穴を通して確認しながら上記コリメートレンズの中央位置に設けられた視認用の調整目印が上記光軸と一致するように、レンズ位置調整ユニットを、該レンズ位置調整ユニットとハウジングのハウジング基準面との間に介在する介在部材を回転中心として回転させる第２工程と、上記第２工程の終了後に、上記レンズ位置調整ユニットをハウジングに取り付け固定する第３工程とを含むことを特徴としている。
【００４４】
上記の発明によれば、上記コリメートレンズを含む光学部品を搭載する装置筐体となるハウジングに、上記球面収差補正手段を取り付け固定したレンズ位置調整ユニットを位置決めして取り付け固定するときには、まず、第１工程において、上記コリメートレンズを上記球面収差補正手段の駆動装置にて光軸に沿って上記レンズ位置調整ユニットのハウジング基準面側に移動させた後、コリメートレンズを通過する光軸の延長線と交わる位置に立ち上げるハウジングの側壁に設けられた光軸を中心とする貫通穴を通して確認しながら上記コリメートレンズの中央位置に設けられた視認用の調整目印が光軸と一致するように上記レンズ位置調整ユニットをハウジング基準面に沿って平行に摺動する。
【００４５】
次いで、第２工程において、上記コリメートレンズを上記球面収差補正手段の駆動装置にて光軸に沿って上記レンズ位置調整ユニットのハウジング基準面側とは反対側に移動させた後、上記貫通穴を通して確認しながら上記コリメートレンズの中央位置に設けられた視認用の調整目印が上記光軸と一致するように、レンズ位置調整ユニットを、該レンズ位置調整ユニットとハウジングのハウジング基準面との間に介在する介在部材を回転中心として回転させる。
【００４６】
これにより、レンズの中央が光軸に一致するようになる。この状態で、レンズ位置調整ユニットをハウジングに取り付け固定すれば、レンズの中央は光軸に一致したものとなる。
【００４７】
したがって、光軸にレンズの中央部がくるようにすることができ、延いては球面収差補正手段を光ピックアップ装置に組み込むときの組立精度を向上させることが可能であり、球面収差補正の精度を上げることにより高性能な記録再生特性を確保し得る光ピックアップ装置のレンズ位置調整方法を提供することができる。
【発明の効果】
【００４８】
本発明の光ピックアップ装置のレンズ位置調整機構は、以上のように、レンズを含む光学部品を搭載する装置筐体となるハウジングを有すると共に、上記球面収差補正手段は、上記ハウジングに取り付け固定されるレンズ位置調整ユニットに搭載されてなり、上記レンズ位置調整ユニットとハウジングとの間には、該レンズ位置調整ユニットをハウジングに位置決めして取り付け固定するときに該レンズ位置調整ユニットをハウジングのハウジング基準面に沿って平行に摺動させかつ回転中心となって該レンズ位置調整ユニットを回転自在に当接させる介在部材が設けられているものである。
【００４９】
また、本発明の光ピックアップ装置は、以上のように、上記記載の光ピックアップ装置のレンズ位置調整機構を備えているものである。
【００５０】
さらに、本発明の光ディスク装置は、以上のように、上記記載の光ピックアップ装置を備えた光ディスク装置であって、半導体レーザーからレーザー光を出射し、上記レーザー光を用いて光ディスクに情報を記録し、又は光ディスクに記録された情報を再生するものである。
【００５１】
本発明の光ピックアップ装置のレンズ位置調整方法は、以上のように、コリメートレンズを含む光学部品を搭載する装置筐体となるハウジングに、上記球面収差補正手段を取り付け固定したレンズ位置調整ユニットを位置決めして取り付け固定するときに、上記コリメートレンズを上記球面収差補正手段の駆動装置にて光軸に沿って上記レンズ位置調整ユニットのハウジング基準面側に移動させた後、コリメートレンズを通過する光軸の延長線と交わる位置に立ち上げるハウジングの側壁に設けられた光軸を中心とする貫通穴を通して確認しながら上記コリメートレンズの中央位置に設けられた視認用の調整目印が光軸と一致するように上記レンズ位置調整ユニットをハウジング基準面に沿って平行に摺動する第１工程と、上記第１工程の終了後に、上記コリメートレンズを上記球面収差補正手段の駆動装置にて光軸に沿って上記レンズ位置調整ユニットのハウジング基準面側とは反対側に移動させた後、上記貫通穴を通して確認しながら上記コリメートレンズの中央位置に設けられた視認用の調整目印が上記光軸と一致するように、レンズ位置調整ユニットを、該レンズ位置調整ユニットとハウジングのハウジング基準面との間に介在する介在部材を回転中心として回転させる第２工程と、上記第２工程の終了後に、上記レンズ位置調整ユニットをハウジングに取り付け固定する第３工程とを含む方法である。
【００５２】
それゆえ、光軸にレンズの中央部がくるようにすることができ、延いては球面収差補正手段を光ピックアップ装置に組み込むときの組立精度を向上させることが可能であり、球面収差補正の精度を上げることにより高性能な記録再生特性を確保し得る光ピックアップ装置のレンズ位置調整機構、光ピックアップ装置、光ディスク装置、及び光ピックアップ装置のレンズ位置調整方法を提供するという効果を奏する。
【発明を実施するための最良の形態】
【００５３】
〔実施の形態１〕
本発明の一実施形態について図１ないし図７に基づいて説明すれば、以下の通りである。
【００５４】
本実施の形態の光ピックアップ装置１は、図２（ａ）（ｂ）に示すように、半導体レーザー１１からレーザー光を出射し、そのレーザー光を用いて図示しない光ディスクに情報を記録、又は光ディスクに記録された情報を再生する光ディスク装置に備えられている。
【００５５】
上記光ピックアップ装置１は、装置筐体であるハウジング１０を有しており、このハウジング１０には、半導体レーザー１１、ビームスプリッタ１２、反射ミラー１３、レンズとしてのコリメートレンズ１４、プリズム１５、立上ミラー１６、受光素子１７、及びコリメートレンズ位置調整ユニット２０が搭載されている。
【００５６】
上記ビームスプリッタ１２、反射ミラー１３、コリメートレンズ１４、プリズム１５、及び立上ミラー１６は、光ピックアップ装置１の光学部品を構成している。
【００５７】
上記光ピックアップ装置１では、上記半導体レーザー１１から出射されたレーザー光は、装置筐体であるハウジング１０に搭載された光学部品であるビームスプリッタ１２、反射ミラー１３、コリメートレンズ１４及びプリズム１５を通って立上ミラー１６に入射する。そして、レーザー光は、立上ミラー１６にて上向きに光束を曲げられた後、図示しない対物レンズを通して、図示しない光ディスクに設けられた記録層又は再生層のいずれかに照射される。
【００５８】
光ディスクの記録層又は再生層からの反射光は、上記図示しない対物レンズを通し、さらに立上ミラー１６、プリズム１５、コリメートレンズ１４及び反射ミラー１３を通してビームスプリッタ１２に戻り、ビームスプリッタ１２にて分岐されて受光素子１７に入射されるようになっている。
【００５９】
本実施の形態の光ディスク装置は、ＤＶＤ規格の波長６６０ｎｍのレーザー光と、Ｂｌｕ−ｒａｙ規格の波長４０５ｎｍのレーザー光との両方が使用できるものとなっている。したがって、ＤＶＤ規格の光ディスクとＢｌｕ−ｒａｙ規格の光ディスクとのいずれがセットされても、それに対応できるように、コリメートレンズ１４を光軸と平行な方向に移動させることによって、レーザー光の光路におけるコリメートレンズ１４と対物レンズとの間隔を変化させるようになっている。これによって、色収差の発生を防止して、規格の異なる種々の光ディスクに対応できるようになっている。
【００６０】
本実施の形態では、上記コリメートレンズ１４は、ハウジング１０に取り付けられた駆動ユニットであるコリメートレンズ位置調整ユニット２０に取り付けられている。上記コリメートレンズ１４の良好な光ピックアップ記録再生特性を確保するためには光軸にコリメートレンズ１４の中央部が位置する必要がある。
【００６１】
そこで、本実施の形態の光ピックアップ装置１では、半導体レーザー１１から放射される光軸にコリメートレンズ１４の中央部がくるようにするために、以下の構造となっている。
【００６２】
すなわち、本実施の形態の光ピックアップ装置１では、図３に示すように、コリメートレンズ１４の中央部に視認用の調整目印１４ａを設けていると共に、図２（ａ）（ｂ）に示すように、コリメートレンズ１４を通過する半導体レーザー１１のレーザー光における光軸の延長線と交わる位置に立ち上げるハウジング１０の従軸側の側壁としての側壁面に、上記光軸を中心とする貫通穴１０ａを設けている。そして、ハウジング１０の外部から貫通穴１０ａを通してコリメートレンズ１４に設けられた視認用の調整目印１４ａを臨むことができ、これによって、光軸にコリメートレンズ１４の中央部を合わせることができる。
【００６３】
ここで、本実施の形態の形態のコリメートレンズ１４は、コリメートレンズ１４の視認用の調整目印１４ａとして、レンズ中央部に凹部を設けている。尚、この調整目印１４ａは、必ずしも凹部に限らず、凸部を設けても良い。また、この視認用の調整目印１４ａ（凹部又は凸部）は、光学的に影響がなく、例えばＣＣＤカメラ等にて判別可能なものになっている。
【００６４】
上記凹部又は凸部の視認用の調整目印１４ａを設けたコリメートレンズ１４は、図４（ａ）（ｂ）に示すように、コリメートレンズ位置調整ユニット２０の球面収差補正手段としてのレンズホルダー２１に接着固定されている。また、コリメートレンズ位置調整ユニット２０をハウジング１０に取り付けるときには、コリメートレンズ１４の位置調整を行った後にハウジング１０と接着固定される部品として、図２（ａ）に示すように、コリメートレンズ位置調整ユニット２０におけるベースホルダー２２を有している。
【００６５】
本実施の形態では、このベースホルダー２２には、図４（ａ）に示すように、例えば断面半円状（以下、断面半円状とは、円柱の縦分断形状を示す）つまり断面弓形の介在部材としての突起２３ａが設けられている。
【００６６】
ここで、図２（ａ）（ｂ）に示すように、上記ハウジング１０の貫通穴１０ａを通してコリメートレンズ１４の中央部を合わせるときに、ベースホルダー２２に設けられた断面半円状の突起２３ａをハウジング基準面１０ｂに押し当てて、位置調整を行う。コリメートレンズ位置調整ユニット２０の調整手順は、下記のとおりである。
【００６７】
まず、図１（ａ）に示すように、ベースホルダー２２の内部において、コリメートレンズ１４を固定したレンズホルダー２１を、ベースホルダー２２における断面半円状の突起２３ａ側の端部に移動させた状態で、上記ハウジング１０の貫通穴１０ａを通して、コリメートレンズ位置調整ユニット２０をＸ方向に調整して、コリメートレンズ１４の中央部を合わせる。
【００６８】
次に、図１（ｂ）に示すように、ベースホルダー２２の内部において、コリメートレンズ１４を固定したレンズホルダー２１をベースホルダー２２における反射ミラー１３側つまりハウジング基準面１０ｂとは反対側の端部に移動させて、上記ハウジング１０の貫通穴１０ａを通してコリメートレンズ中央の調整目印１４ａを確認する。そして、このときに、コリメートレンズ１４のレンズ中心がずれていれば、ベースホルダー２２の断面半円状の突起２３ａとハウジング１０のハウジング基準面１０ｂとの接触部を回転中心として、コリメートレンズ位置調整ユニット２０を円柱形状面に沿って回転させて、コリメートレンズ１４の中央部を光軸に合わせる。
【００６９】
ここで、突起２３ａは円柱形状であるため、回転調整の方向はＸ軸に平行な回転方向θｘに制限されるが、接触面積が大きいため調整が容易で精度も向上する。
【００７０】
このように、ベースホルダー２２の内部において、コリメートレンズ１４の光軸に沿う方向における可動範囲の両端部にてコリメートレンズ１４のレンズ中心と光軸とを合わせてから、コリメートレンズ位置調整ユニット２０をハウジング１０に接着固定する。本実施の形態では、突起２３ａが円柱形状のため、固定強度も高まる。
【００７１】
尚、本発明は、上記の実施の形態に限定されるものではなく、本発明の範囲内で種々の変更が可能である。例えば、上記実施の形態では、突起２３ａは断面半円状となっているが、特にこれに限定するものではなく、球面状の突起とすることも可能である。
【００７２】
具体的には、図５（ａ）（ｂ）（ｃ）に示すように、コリメートレンズ位置調整ユニット２０のベースホルダー２２における前記ハウジング１０のハウジング基準面１０ｂとの接触部の形状を球面状（以下、球面状とは、球体からの切り出し形状を示す）に形成された介在部材としての突起２３ｂとすることが可能である。これにより、コリメートレンズ１４の中央部を光軸に合わせる場合に、この球面状の突起２３ｂとハウジング１０のハウジング基準面１０ｂとの接触部を回動中心として、コリメートレンズ位置調整ユニット２０をＸ軸方向に垂直な回転方向θｘとＹ軸方向に垂直な回転方向θｙとのあらゆる方向に調整可能となる。また、Ｘ軸方向及びＹ軸方向に限らずあらゆる方向に調整可能でもある。すなわち、半円柱状ではＹ軸方向に垂直な回転方向θｙは不可である。
【００７３】
このように、コリメートレンズ１４の中央部を光軸に合わせた後、ハウジング１０のハウジング基準面１０ｂとベースホルダー２２との間の空間に接着剤を充填することにより、コリメートレンズ位置調整ユニット２０をハウジング１０に接着固定する構造となる。
【００７４】
ここで、本実施の形態では、図６（ａ）（ｂ）（ｃ）に示すように、コリメートレンズ位置調整ユニット２０の内部に設けられたレンズホルダー２１を光軸に沿って駆動させる駆動装置として例えばステッピングモータ２４ａを使用している。
【００７５】
また、ステッピングモータ２４のステップ数をカウントし、コリメートレンズ１４のレンズ位置を検出する手段として、フォトインタラプタ２５を搭載している。
【００７６】
これにより、コリメートレンズ位置調整ユニット２０の内部に設けられたレンズホルダー２１を駆動することにより、コリメートレンズ１４を移動させることができる。
【００７７】
尚、上記のコリメートレンズ位置調整ユニット２０に設けられたレンズホルダー２１における駆動装置としては、必ずしもステッピングモータ２４ａに限らず、図７（ａ）（ｂ）（ｃ）に示すように、圧電素子２４ｂを使用することが可能である。
【００７８】
この構造においては、レンズホルダー２１に永久磁石２６が取り付けられており、ホール素子２７により磁界の変化を検出することによって、レンズホルダー２１の位置、つまりコリメートレンズ１４の位置を制御することができるようになる。
【００７９】
また、コリメートレンズ位置調整ユニット２０の内部に設けられたレンズホルダー２１の駆動装置として、例えば、図示しない直流モータを使用することも可能である。この構成においても、コリメートレンズ位置を検出するために、例えば、前記フォトインタラプタ２５が使用される。
【００８０】
このように、本実施の形態の光ピックアップ装置１のコリメートレンズ位置調整ユニット２０は、ステッピングモータ２４ａ等の駆動装置を用いてコリメートレンズ１４を光軸に沿って移動させて球面収差を補正するレンズホルダー２１を備えている。上記レンズホルダー２１は、ハウジング１０に取り付け固定されるコリメートレンズ位置調整ユニット２０に搭載されてなり、コリメートレンズ位置調整ユニット２０とハウジング１０との間には、コリメートレンズ位置調整ユニット２０をハウジング１０に位置決めして取り付け固定するときにコリメートレンズ位置調整ユニット２０をハウジング１０のハウジング基準面１０ｂに沿って平行に摺動させかつ回転中心となってコリメートレンズ位置調整ユニット２０を回転自在に当接させる介在部材としての突起２３ａ・２３ｂが設けられている。
【００８１】
上記の構成によれば、コリメートレンズ１４を含む光学部品を搭載する装置筐体となるハウジング１０に、レンズホルダー２１を取り付け固定したコリメートレンズ位置調整ユニット２０を位置決めして取り付け固定するときには、以下のようにすることができる。
【００８２】
まず、コリメートレンズ１４をレンズホルダー２１のステッピングモータ２４ａ等の駆動装置にて光軸に沿ってコリメートレンズ位置調整ユニット２０のハウジング基準面１０ｂ側に移動させた後、コリメートレンズ１４の中央位置が光軸と一致するようにコリメートレンズ位置調整ユニット２０をハウジング基準面１０ｂに沿って平行に摺動することができる。
【００８３】
次に、コリメートレンズ１４をレンズホルダー２１のステッピングモータ２４ａ等の駆動装置にて光軸に沿ってコリメートレンズ位置調整ユニット２０のハウジング基準面１０ｂ側とは反対側に移動させた後、コリメートレンズ１４の中央位置が光軸と一致するように、コリメートレンズ位置調整ユニット２０を、該コリメートレンズ位置調整ユニット２０とハウジング１０のハウジング基準面１０ｂとの間に介在する介在部材としての突起２３ａ・２３ｂを回転中心として回転させることができる。
【００８４】
これにより、レンズホルダー２１のコリメートレンズ１４の中央が光軸に一致するようになる。この状態で、コリメートレンズ位置調整ユニット２０をハウジング１０に取り付け固定すれば、コリメートレンズ１４の中央は光軸に一致したものとなる。
【００８５】
したがって、光軸にコリメートレンズ１４の中央部がくるようにすることができ、延いては、レンズホルダー２１自体の組立精度を含む、レンズホルダー２１を光ピックアップ装置１に組み込むときの組立精度を向上させることが可能であり、球面収差補正の精度を上げることにより高性能な記録再生特性を確保し得る光ピックアップ装置１のレンズ位置調整機構を提供することができる。
【００８６】
尚、本実施の形態では、介在部材としての突起２３ａ・２３ｂをコリメートレンズ位置調整ユニット２０に設けたものとなっているが、本発明においては、介在部材は、コリメートレンズ位置調整ユニット２０とハウジング基準面１０ｂとの間に設けられ、コリメートレンズ１４の中央位置が光軸と一致するようにコリメートレンズ位置調整ユニット２０をハウジング基準面１０ｂに沿って平行に摺動することができ、かつコリメートレンズ位置調整ユニット２０を、介在部材を回転中心として回転させることができるものであれば足りる。したがって、介在部材は、コリメートレンズ位置調整ユニット２０又はハウジング基準面１０ｂに形成したものでなく、別部材を介在したものでもよい。また、介在部材の形状も例えば断面円形、三角形等の棒でもよい。
【００８７】
また、本実施の形態の光ピックアップ装置１のレンズ位置調整機構では、介在部材は、コリメートレンズ位置調整ユニット２０に形成された断面弓形の突起２３ａからなっているとすることができる。尚、断面弓形の突起とは、換言すれば、円柱を縦方向に分断した状態の突起をいう。
【００８８】
これにより、突起２３ａをコリメートレンズ位置調整ユニット２０に形成すると共に、その形状を断面弓形の突起２３ａとすることによって、コリメートレンズ位置調整ユニット２０をハウジング基準面１０ｂに沿って平行に容易に摺動することができ。かつ断面弓形の突起２３ａとハウジング基準面１０ｂとの接触点を回転中心として、コリメートレンズ位置調整ユニット２０を断面弓形の突起２３ａに沿って容易に回転することができる。
【００８９】
また、本実施の形態の光ピックアップ装置１のレンズ位置調整機構では、介在部材は、コリメートレンズ位置調整ユニット２０に形成された球面状の突起２３ｂからなっているとすることができる。尚、球面状の突起２３ｂとは、換言すれば、球を切り出した状態の突起２３ｂをいう。
【００９０】
これにより、突起２３ｂをコリメートレンズ位置調整ユニット２０に形成すると共に、その形状を球面状の突起２３ｂとすることによって、コリメートレンズ位置調整ユニット２０をハウジング基準面１０ｂに沿って平行に容易に摺動することができ、かつ球面状の突起２３ｂとハウジング基準面１０ｂとの接触点を回転中心として、コリメートレンズ位置調整ユニット２０を球面状の突起に沿って容易に回転することができる。
【００９１】
そして、この場合には、突起２３ｂは球面状であるので、回転方向として、例えばＸ軸に垂直な面内での回転だけではなく、例えばＹ軸に垂直な面内での回転を行うこともできる。
【００９２】
このため、レンズホルダー２１を光ピックアップ装置１に組み込むときの組立精度が光軸に対して１８０度ずれていてもそのずれを修正することが可能となる。
【００９３】
また、本実施の形態の光ピックアップ装置１のレンズ位置調整機構では、突起２３ｂ・２３ｂは、コリメートレンズ位置調整ユニット２０の摺動方向とは直交する、ハウジング１０の厚み方向に平行移動した位置に形成されていることが好ましい。
【００９４】
これにより、突起２３ｂ・２３ｂは、コリメートレンズ位置調整ユニット２０の摺動方向への投影においては光軸と一致し、コリメートレンズ位置調整ユニット２０の摺動方向とは直交する、ハウジング１０の厚み方向においては光軸からいくらかずれていることになる。
【００９５】
すなわち、突起２３ｂ・２３ｂが光軸と一致する場所に存在すると光を遮蔽することになるが、本実施の形態では、ハウジング１０の厚み方向に平行移動した位置に突起２３ｂ・２３ｂを設けることによって、光の遮蔽を回避することができる。
【００９６】
また、突起２３ｂ・２３ｂが設けられている位置は、光軸から離れすぎると調整のストロークが増加するため、離間した近くの位置が望ましい。この点、本実施の形態では、突起２３ｂ・２３ｂは、コリメートレンズ位置調整ユニット２０の摺動方向とは直交する、ハウジング１０の厚み方向に平行移動した位置に形成されている。そして、一般に、ハウジング１０の厚み方向は、ハウジング基準面１０ｂの長さ方向に比べて短い。したがって、上記の要件を満たすことができる。
【００９７】
また、本実施の形態の光ピックアップ装置１のレンズ位置調整機構では、コリメートレンズ１４の中央部には、視認用の調整目印１４ａが設けられていることが好ましい。
【００９８】
これにより、コリメートレンズ１４の中央部には、視認用の調整目印１４ａが設けられているので、コリメートレンズ１４の中央位置を視認用の調整目印１４ａにより判断することができる。したがって、コリメートレンズ１４のレンズ位置の調整を行うときには、コリメートレンズ１４の中央部に設けられた視認用の調整目印１４ａが光軸に一致するように、コリメートレンズ位置調整ユニット２０をハウジング基準面１０ｂに摺動し、突起２３ｂ・２３ｂを中心にして回転させることができる。
【００９９】
したがって、視認用の調整目印１４ａにより、容易に、光軸にコリメートレンズ１４の中央部がくるようにすることができる。
【０１００】
また、本実施の形態の光ピックアップ装置１のレンズ位置調整機構では、レンズはコリメートレンズ１４であると共に、視認用の調整目印１４ａは、コリメートレンズ１４のレンズ表面に形成された凹部又は凸部からなっていることが好ましい。
【０１０１】
これにより、コリメートレンズ１４は、光源から出射された発散光束を平行光束にして図示しない対物レンズに入射させる機能を有しているので、例えば、光ディスクの板厚に基づく球面収差を補正するレンズと言える。
【０１０２】
また、コリメートレンズ１４のレンズ表面の中央位置に凹部又は凸部を形成することによって、レンズ表面の中央位置で光を遮蔽することなく該凹部又は凸部を視認用の調整目印１４ａとして機能させることができる。
【０１０３】
また、本実施の形態の光ピックアップ装置１のレンズ位置調整機構では、コリメートレンズ１４を通過する光軸の延長線と交わる位置に立ち上げるハウジング１０の側壁に、該光軸を中心とする貫通穴１０ａが設けられていることが好ましい。
【０１０４】
これにより、ハウジング１０の外部からこの貫通穴１０ａを通して、コリメートレンズ１４の中央位置が光軸と一致しているかの確認を容易に行うことができる。
【０１０５】
また、本実施の形態の光ピックアップ装置１は、上記記載の光ピックアップ装置１のレンズ位置調整機構を備えている。
【０１０６】
したがって、光軸にコリメートレンズ１４の中央部がくるようにすることができ、延いてはレンズホルダー２１を光ピックアップ装置１に組み込むときの組立精度を向上させることが可能であり、球面収差補正の精度を上げることにより高性能な記録再生特性を確保し得る光ピックアップ装置１を提供することができる。
【０１０７】
また、本実施の形態の光ディスク装置は、上記記載の光ピックアップ装置１を備えた光ディスク装置であって、半導体レーザー１１からレーザー光を出射し、このレーザー光を用いて光ディスクに情報を記録し、又は光ディスクに記録された情報を再生する。
【０１０８】
したがって、光軸にコリメートレンズ１４の中央部がくるようにすることができ、延いてはレンズホルダー２１を光ピックアップ装置１に組み込むときの組立精度を向上させることが可能であり、球面収差補正の精度を上げることにより高性能な記録再生特性を確保し得る光ディスク装置を提供することができる。
【０１０９】
本実施の形態の光ピックアップ装置１のレンズ位置調整方法は、コリメートレンズ１４を含む光学部品を搭載する装置筐体となるハウジング１０に、レンズホルダー２１を取り付け固定したコリメートレンズ位置調整ユニット２０を位置決めして取り付け固定するときには、まず、第１工程において、コリメートレンズ１４をレンズホルダー２１のステッピングモータ２４ａ等の駆動装置にて光軸に沿ってコリメートレンズ位置調整ユニット２０のハウジング基準面１０ｂ側に移動させた後、コリメートレンズ１４を通過する光軸の延長線と交わる位置に立ち上げるハウジング１０の側壁に設けられた光軸を中心とする貫通穴１０ａを通して確認しながらコリメートレンズ１４の中央位置に設けられた視認用の調整目印１４ａが光軸と一致するようにコリメートレンズ位置調整ユニット２０をハウジング基準面１０ｂに沿って平行に摺動する。
【０１１０】
次いで、第２工程において、コリメートレンズ１４をレンズホルダー２１のステッピングモータ２４ａ等の駆動装置にて光軸に沿ってコリメートレンズ位置調整ユニット２０のハウジング基準面１０ｂとは反対側に移動させた後、貫通穴１０ａを通して確認しながらコリメートレンズ１４の中央位置に設けられた視認用の調整目印１４ａ光軸と一致するように、コリメートレンズ位置調整ユニット２０を、該コリメートレンズ位置調整ユニット２０とハウジング１０のハウジング基準面１０ｂとの間に介在する突起２３ａ・２３ｂを回転中心として回転させる。
【０１１１】
これにより、コリメートレンズ１４の中央が光軸に一致するようになる。第３工程として、上記の状態で、コリメートレンズ位置調整ユニット２０をハウジング１０に取り付け固定すれば、コリメートレンズ１４の中央は光軸に一致したものとなる。
【０１１２】
したがって、光軸にコリメートレンズ１４の中央部がくるようにすることができ、延いてはレンズホルダー２１を光ピックアップ装置１に組み込むときの組立精度を向上させることが可能であり、球面収差補正の精度を上げることにより高性能な記録再生特性を確保し得る光ピックアップ装置１のレンズ位置調整方法を提供することができる。
【０１１３】
また、本実施の形態では、球面収差補正を行うためのコリメートレンズ１４を駆動させる駆動手段として、ステッピングモータ２４ａを用いた駆動装置と、初期位置を検出する初期位置検出手段としてのフォトインタラプタ２５とを有している。
【０１１４】
また、本実施の形態では、球面収差補正を行うためのコリメートレンズ１４を駆動させる駆動手段として、圧電素子２４ｂを用いた駆動装置と、永久磁石２６とホール素子２７とによりコリメートレンズ１４の位置検出する位置検出手段を有している。
【０１１５】
また、本実施の形態では、球面収差補正を行うためのコリメートレンズ１４を駆動させる駆動手段として、図示しない直流モータを用いた駆動装置と、初期位置を検出する初期検出手段としてのフォトインタラプタ２５とを備えている。
【０１１６】
これらにより、コリメートレンズ１４の初期位置及び現在の位置を検出することができる。
【０１１７】
また、本実施の形態では、コリメートレンズ１４のレンズ位置調整だけでなく、コリメートレンズ１４を搭載するコリメートレンズ位置調整ユニット２０全体によりレンズ位置調整する。したがって、ハウジング１０の中のコリメートレンズ位置調整ユニット２０全体としてレンズ位置調整されるので、レンズホルダー２１自体の組立精度を含む、レンズホルダー２１を光ピックアップ装置１に組み込むときの組立精度を向上させることが可能であり、球面収差補正の精度を上げることにより高性能な記録再生特性を確保し得る光ピックアップ装置１のレンズ位置調整機構を提供することができる。
【０１１８】
〔実施の形態２〕
本発明の他の実施の形態について図８に基づいて説明すれば、以下の通りである。なお、本実施の形態において説明すること以外の構成は、前記実施の形態１と同じである。また、説明の便宜上、前記の実施の形態１の図面に示した部材と同一の機能を有する部材については、同一の符号を付し、その説明を省略する。
【０１１９】
前記実施の形態１の光ピックアップ装置１における突起２３ａ・２３ｂは、コリメートレンズ１４を収容するコリメートレンズ位置調整ユニット２０のベースホルダー２２における図示しない対物レンズ側の端面つまりハウジング基準面１０ｂ側の端面に設けられていた。
【０１２０】
これに対して、本実施の形態の光ピックアップ装置２では、図８（ａ）（ｂ）に示すように、ハウジング１０のハウジング基準面１０ｂに介在部材としての突起３３が形成されている。すなわち、本実施の形態では、コリメートレンズ位置調整ユニット２０のベースホルダー２２とハウジング１０との接触部において、ハウジング１０のハウジング基準面１０ｂに断面半円状つまり断面弓形の突起３３を設ける。
【０１２１】
これにより、コリメートレンズ位置調整ユニット２０におけるコリメートレンズ中央部を光軸に合わせる場合に、このハウジング１０の断面半円状の突起３３とコリメートレンズ位置調整ユニット２０との接触部を回転中心として調整する。
【０１２２】
尚、本実施の形態においても、前記上記と同様に、ハウジング側の突起３３の形状を球面状にすることが可能である。
【０１２３】
このように、本実施の形態の光ピックアップ装置２のレンズ位置調整機構では、介在部材は、ハウジング基準面１０ｂに形成された断面弓形の突起３３からなっているとすることができる。尚、断面弓形の突起３３とは、換言すれば、円柱を縦方向に分断した状態の突起をいう。
【０１２４】
これにより、突起３３をハウジング基準面１０ｂに形成すると共に、その形状を断面弓形の突起３３とすることによって、コリメートレンズ位置調整ユニット２０をハウジング基準面１０ｂに沿って平行に容易に摺動することができ。かつ断面弓形の突起３３とハウジング基準面１０ｂとの接触点を回転中心として、コリメートレンズ位置調整ユニット２０を断面弓形の突起３３に沿って容易に回転することができる。
【０１２５】
また、本実施の形態の光ピックアップ装置２のレンズ位置調整機構では、介在部材は、ハウジング基準面１０ｂに形成された球面状の突起３３からなっているとすることができる。尚、球面状の突起３３とは、換言すれば、球を切り出した状態の突起をいう。
【０１２６】
これにより、介在部材をハウジング基準面１０ｂに形成すると共に、その形状を球面状の突起３３とすることによって、コリメートレンズ位置調整ユニット２０をハウジング基準面１０ｂに沿って平行に容易に摺動することができ、かつ球面状の突起３３とハウジング基準面１０ｂとの接触点を回転中心として、コリメートレンズ位置調整ユニット２０を球面状の突起３３に沿って容易に回転することができる。そして、この場合には、突起３３は球面状であるので、回転方向として、例えばＸ軸に垂直な面内での回転だけではなく、例えばＹ軸に垂直な面内での回転を行うことができる。
【０１２７】
このため、レンズホルダー２１を光ピックアップ装置２に組み込むときの組立精度が光軸に対して１８０度ずれていてもそのずれを修正することが可能となる。
【０１２８】
尚、本発明は、上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１２９】
本発明は、光ディスクを記録、又は再生する光ディスク装置に備えられた光ピックアップ装置のレンズ位置調整機構、光ピックアップ装置、光ディスク装置、及び光ピックアップ装置のレンズ位置調整方法に関するものである。したがって、例えば、ＤＶＤ規格の波長６６０ｎｍのレーザー光と、Ｂｌｕ−ｒａｙ規格の波長４０５ｎｍのレーザー光とのいずれかが使用できる光ディスク装置に適用できると共に、ＤＶＤ規格の波長６６０ｎｍのレーザー光と、Ｂｌｕ−ｒａｙ規格の波長４０５ｎｍのレーザー光との両方が使用できる光ディスク装置にできる。また、ＣＤ等の光ディスク装置にも適用できる。
【図面の簡単な説明】
【０１３０】
【図１】（ａ）は本発明における光ピックアップ装置の実施の一形態を示すものであり、コリメートレンズをコリメートレンズ位置調整ユニットにおける対物レンズ側に位置させてコリメートレンズを水平移動位置調整するときの構成を示す正面図であり、（ｂ）は、コリメートレンズをコリメートレンズ位置調整ユニットにおける半導体レーザー側に位置させてコリメートレンズを回転移動位置調整するときの構成を示す正面図である。
【図２】（ａ）は上記光ピックアップ装置の構成を示す正面図であり、（ｂ）は上記光ピックアップ装置の構成を示す底面図である。
【図３】上記光ピックアップ装置のコリメートレンズを示す平面図である。
【図４】（ａ）は上記光ピックアップ装置のコリメートレンズ位置調整ユニットの構成を示す正面図であり、（ｂ）は上記コリメートレンズ位置調整ユニットの構成を示す底面図である。
【図５】（ａ）は上記光ピックアップ装置のコリメートレンズ位置調整ユニットの変形例を示すものであり、球面状の突起が形成されたコリメートレンズ位置調整ユニットを示す左側面図であり、（ｂ）は球面状の突起が形成されたコリメートレンズ位置調整ユニットを示す正面図であり、（ｃ）は球面状の突起が形成されたコリメートレンズ位置調整ユニットを示す底面図である。
【図６】（ａ）はレンズホルダーを光軸に沿って駆動させる駆動装置を備えた上記コリメートレンズ位置調整ユニットを示す正面図であり、（ｂ）は上記コリメートレンズ位置調整ユニットを示す右側面図であり、（ｃ）は上記コリメートレンズ位置調整ユニットを示す底面図である。
【図７】（ａ）はレンズホルダーを光軸に沿って駆動させる他の駆動装置を備えた上記コリメートレンズ位置調整ユニットを示す正面図であり、（ｂ）は上記コリメートレンズ位置調整ユニットを示す右側面図であり、（ｃ）は上記コリメートレンズ位置調整ユニットを示す底面図である。
【図８】（ａ）は本発明における光ピックアップ装置の他の実施の形態を示すものであり、光ピックアップ装置の構成を示す正面図であり、（ｂ）は上記光ピックアップ装置のハウジングにおいて、コリメートレンズ位置調整ユニットに向けてハウジング側に形成された突起を示す（ａ）の一点鎖線の部分を拡大して示す要部拡大正面図である。
【図９】従来の光ピックアップ装置の構成を示す正面図である。
【符号の説明】
【０１３１】
１      光ピックアップ装置
２      光ピックアップ装置
１０      ハウジング
１０ａ    貫通穴
１０ｂ    ハウジング基準面
１１      半導体レーザー
１２      ビームスプリッタ
１３      反射ミラー
１４      コリメートレンズ（レンズ）
１４ａ    調整目印
１５      プリズム
１６      立上ミラー
１７      受光素子
２０      コリメートレンズ位置調整ユニット
２１      レンズホルダー（球面収差補正手段）
２２      ベースホルダー
２３ａ    突起（介在部材）
２３ｂ    突起（介在部材）
２４ａ    ステッピングモータ（駆動装置）
２４ｂ    圧電素子（駆動装置）
２５      フォトインタラプタ
２６      永久磁石
２７      ホール素子
３３      突起（介在部材）
【図１】
2010134995.tif 000003
【図２】
2010134995.tif 000004
【図３】
2010134995.tif 000005
【図４】
2010134995.tif 000006
【図５】
2010134995.tif 000007
【図６】
2010134995.tif 000008
【図７】
2010134995.tif 000009
【図８】
2010134995.tif 000010
【図９】
2010134995.tif 000011